(57)【特許請求の範囲】
【請求項１】
略箱状の筐体を備えると共に、該筐体内に、サンプリング用配管からサンプリング空気を吸引させるファンと、該サンプリング用配管からのサンプリング空気が導入される煙検出ユニットとを一組のみ備えた煙感知器において、
該筐体に、該ファンと該煙検出ユニットとを近接させつつ、それらが取り付けられる横方向に延在する台座を介して上下に部分的に重ねて配置すると共に、該ファンの中央の吸気口と、該煙検出ユニットの側方に隣接して設けられ、該サンプリング用配管からのサンプリング空気を該筐体内に流入させる流入部とを、それらが該台座に形成された開口によって連通するように、該台座を介して上下に重ねて配置して収納する収納室を設けたことを特徴とする煙感知器。
【発明の詳細な説明】
【技術分野】
【０００１】
この発明は、空気中に浮遊する煙等の汚染物質を光学的に検知する煙感知器に関するものである。
【背景技術】
【０００２】
火災予防や煙発生時の検知システムとして、或いは一定の環境保全を必要とする半導体製造工場や食品工場等において煙感知器が使用されている。
【０００３】
この種の煙感知器は、監視区域からサンプリング管を介して空気を吸引する吸引装置と、吸引装置によって吸引された空気が導入されて、その導入された空気に含まれる煙粒子を検出する検煙装置とを備えているが、従来の煙感知器において、検煙装置と吸引装置は煙感知器の本体に内蔵されていて、両者は長い配管を介して連通され、煙感知器の筐体内に離間して配置されている（例えば、特許文献１参照）。
【０００４】
【特許文献１】特許第３７１４９２６号公報
【発明の開示】
【発明が解決しようとする課題】
【０００５】
従来においては、前記の様に、煙感知器の筐体内において検煙装置部と吸引装置部が長い配管を介して連通され、筐体内に離間して配置されているので、両者間に長い配管と距離が必要なため、その分、配管部品コストの低減化ができず、又煙感知器の筐体の小型化もできなかった。
【０００６】
この発明は、前記の事情に鑑み、配管部品コストの低減化ができ、又筐体の小型化ができる煙感知器を提供することを目的とする。
【課題を解決するための手段】
【０００７】
この発明は、略箱状の筐体を備えると共に、該筐体内に、サンプリング用配管からサンプリング空気を吸引させるファンと、該サンプリング用配管からのサンプリング空気が導入される煙検出ユニットとを一組のみ備えた煙感知器において、該筐体に、該ファンと該煙検出ユニットとを近接させつつ、それらが取り付けられる横方向に延在する台座を介して上下に部分的に重ねて配置すると共に、該ファンの中央の吸気口と、該煙検出ユニットの側方に隣接して設けられ、該サンプリング用配管からのサンプリング空気を該筐体内に流入させる流入部とを、それらが該台座に形成された開口によって連通するように、該台座を介して上下に重ねて配置して収納する収納室を設けたことを特徴とする煙感知器である。
【発明の効果】
【００１０】
この発明によれば、ファンと煙感知器を１組のみ備えた煙感知器において、前記のような収納室を設けたことで、配管部品コストを低減することができると共に組立コストも低減することができ、又、ファンと煙検出ユニットとの間の距離を短くすることができ、筐体の小型化ができる。
【発明を実施するための最良の形態】
【００１１】
この発明の実施の形態を図１乃至４に基づき説明する。尚、図１はこの発明の煙感知器の主要な構成を示した説明図、図２は同上のファンと煙検出ユニットを組み立てた状態の要部斜視図（（ａ）が上面側を示し、（ｂ）が下面側を示す。）、図３は同上の状態の側面図、図４は同上のファンと煙検出ユニット等が組立てられ、筐体内に収納されている状態の断面図である。
【００１２】
図１に示す様に、煙感知器１には、暗箱２１を有する煙検出ユニット２と、監視区域に敷設された図示しないサンプリング用配管から流入部４０を介して流入する空気Ａを感知対象となるサンプリングエアＳＡとして導入路４を介して煙検出ユニット２に送るファン３と、煙検出ユニット２内に配設した発光素子１１と、フォトダイオード等の受光素子１２と、ファン３や空気の流量を測定するエアフローセンサ１３と、発光素子１１と受光素子１２とエアフローセンサ１３等に電源を供給する電源部１４と、受光素子１２に接続させた火災判別部１５とを備えている。尚、導入路４はファン３の二次側から流路分岐部３３において分岐し、煙検出ユニット２からサンプリングエアＳＡを還流させる還流路６がファン３の二次側の流路合流部３２において合流しており、流路合流部３２と流路分岐部３３との間に生じる差圧（流路合流部３２における流速を流路分岐部３３における流速よりも速いものとすることによって両者間に差圧を生じさせることができ、例えば流路合流部３２をファン３の回転翼の周縁に近い位置に設け、流路分岐部３３を回転翼の周縁から遠い位置に設けることで両者間に差圧を生じさせることができる。）によって、サンプリングエアＳＡが導入路４からフィルタ５で濾過された上で煙検出ユニット２を通過し、そして還流路６からファン３の二次側に還流される様になっている。
【００１３】
煙検出ユニット２の暗箱２１の中央部には、検煙部２５が設けられ、この検煙部２５をサンプリングエアＳＡが通過し、その際に光学的に煙検知がなされる様になっている。尚、２３は遮光部２２に設けた光トラップ、２４は集光レンズ、２６はアパーチャである。
【００１４】
又、火災判別部１５は、受光素子１２の出力信号Ｓを増幅する増幅回路と、その増幅回路を検出レベルに変換するＡ／Ｄ変換器と、検出レベルが予め設定された閾値以上になった時に火災と判別する比較回路等を備えている。
【００１５】
図１においては、説明上、ファン３と煙検出ユニット２とを離間させて図示しているが、実際には、図２乃至４に示す様に、両者は近接し、上下に部分的に重なって、段違いに配置されている。
【００１６】
具体的には、図２及び図３に示す様に、ファン３が台座３０の上面３０ａに取り付けられ、略Ｌ字状の煙検出ユニット２は台座３０の下面３０ｂに取り付けられており、両者は近接して、台座３０を介して上下に部分的に重なって、上下二段の段違いに配置されれている。尚、ファン３と煙検出ユニット２は上下に部分的に重なってはいるが、ファン３の中央の吸気口３ａのある位置においては両者は重ならない様に配置されており、ファン３の吸気口３ａと台座３０を介して上下に重なる位置には、煙検出ユニット２の側方に隣接して流入部４０が設けられている。又、この流入部４０には台座３０を貫通して、ファン３の吸気口３ａに対向し、流入部４０と吸気口３ａとを連通させる開口４０ａが形成されている。
【００１７】
図４に示す様に、台座３０に設けられた煙検出ユニット２とファン３は、筐体５０と一体に形成された収納室４５内に前記の如き配置で収納されている。収納室４５の上部開口は収納室カバー（蓋体）４６でパッキン４７を介して封止され、筐体５０の上部開口は開閉自在の筐体カバー５１によって塞がれている。尚、煙検出ユニット２に隣接して設けられる流入部４０はそれを下側から覆う収納室４５の一部によって管状にされている。
【００１８】
そして、監視区域に敷設される図示しないサンプリング管からの空気は、流入部４０を介してファン３により吸引され、ファン３の排気口３ｂから排気される空気の一部が分流され、サンプリングエアＳＡとして煙検出ユニット２の流入口２ａ及び流出口２ｂを介して暗箱２１内の検煙部２５を通過し、そこで光学的に煙検知がなされてから、ファン３の二次側に還流される様になっている。尚、ファン３の排気口３ｂは、筐体５０の外部にサンプリングエアを排気する図示しない排気管に接続されている。
【００１９】
ここで、筐体５０を小型化するための具体的な方法を説明する。まず、略Ｌ字状の煙検出ユニット２の側方の隙間にファン３の吸気口３ａに通じる流入部４０を配置した。また、台座３０が煙検出ユニット２のカバーとファン３の吸気部分の蓋を兼用した。さらに、煙検出ユニット２の流入口２ａと流出口２ｂをファン３の排気口３ａに近い位置としたことなどである。これにより、ファン３の排気口３ａから流路分岐部３３、流路分岐部３３から検出ユニット２の流入口２ａ、検出ユニット２の流出口２ｂから流路合流部３２に必要な配管の合計長さは約２００ｍｍ程度だけでよくなる。また、収納室４５が必要な空間は、例えば、縦が約１４０〜１６０ｍｍ、横が１００〜１２０ｍｍ、高さが約５０〜７０ｍｍであればよくなり、筐体５０を十分に小型化できる。
【００２０】
前記の様に、この発明の煙感知器１においては、煙検出ユニット２とファン３とを、上下に部分的に重なりつつ、段違いの配置で近接して筐体５０の収納室４５内に収納することができるので、煙検出ユニット２とファン３との間の配管部品を短くすることができ、又筐体５０を小型なものにすることができる。
【００２１】
また、収納室４５は、収納室カバー（蓋体）４６を取付する際に、板状のパッキン４７で封止されているので浸水しない。さらに、煙検出ユニット２およびファン３にそれぞれ防水機構を設ける必要がないため、部品の低コスト化ができる。
【００２２】
以上、この発明の煙感知器１をファン３を煙検出ユニット２の上流側に設けつつ、ファン３と煙検出ユニット２を上下に近接させて配置する場合を例に説明したが、ファン３を煙検出ユニット２の下流側に設けつつ、ファン３と煙検出ユニット２を上下に配置する様にすることも可能である。
【図面の簡単な説明】
【００２３】
【図１】この発明の煙感知器の実施の形態を示し、煙検知器の主要構成の説明図である。
【図２】同上を示し、煙感知器におけるファンと煙検出ユニットを組み立てた状態の要部斜視図で、（ａ）が上面側を示し、（ｂ）が下面側を示した図である。
【図３】同上を示し、同上の状態の側面図である。
【図４】同上を示し、ファンと煙検出ユニット等が組立てられ、筐体内に収納されている状態の断面図である。
【符号の説明】
【００２４】
１      煙検知器
２      煙検出ユニット
３      ファン
３ａ    吸気口
３０    台座
４０    流入部
４０ａ  開口
４５    収納室
４６    収納室カバー（蓋体）
５０    筐体
【図１】
0004828562.tif 000002
【図２】
0004828562.tif 000003
【図３】
0004828562.tif 000004
【図４】
0004828562.tif 000005